(57)【要約】      （修正有）【課題】容易に外せなくて、防犯の機能を高めて安全に生活できるようにするドア補助ガードを提供する。【解決手段】ドアの側端部の室内側にＵ字状のガイドアーム４を水平状に旋回可能に設け、ドアの戸枠部の端部に上記ガイドアームのガイドアーム溝１０にガイドアーム係止具６を挿脱可能に設けたドア補助ガードであって、ガイドアーム係止具にガイドアーム溝の挿脱部７よりも大きい抜け止め具１４を取着する。抜け止め具として、ガイドアーム係止具頭部の係止部８にガイドアーム溝の挿脱部よりも大きいねじ等を着脱可能に取着することが好ましい。【選択図】図２
0003194007.tif 000002
【実用新案登録請求の範囲】
【請求項１】
ドアの側端部の室内側にＵ字状のガイドアームを水平状に旋回可能に設け、ドアの戸枠部の端部に上記Ｕ字状のガイドアームのガイドアーム溝にガイドアーム係止具を挿脱可能に設けたドア補助ガードであって、
上記ガイドアーム係止具にガイドアーム溝の挿脱部よりも大きい抜け止め具を取着するようにしたことを特徴とするドア補助ガード。
【請求項２】
ガイドアーム係止具の頭部の係止部にガイドアーム溝の挿脱部よりも大きい抜け止め具を着脱可能に取着するようにしたことを特徴とする請求項１に記載のドア補助ガード。
【請求項３】
ガイドアーム係止具の軸部にねじ孔を含む挿入孔を設けてこの挿入孔にガイドアーム溝の挿脱部よりも大きい頭部のねじを含む抜け止め具を着脱可能に取着するようにしたことを特徴とする請求項１に記載のドア補助ガード。
【請求項４】
ガイドアーム係止具の頭部の係止部にガイドアーム溝の挿脱部よりも大きい頭部挟着手段を含む抜け止め具を被脱可能に取着するようにしたことを特徴とする請求項１に記載のドア補助ガード。
【請求項５】
抜け止め具をＵ字状のガイドアームに固着可能に形成したことを特徴とする請求項１ないし４のいずれかにに記載のドア補助ガード。
【考案の詳細な説明】
【技術分野】
【０００１】
本考案は、一戸建住宅やマンション、ホテル等の住宅、ビルディングの玄関、入出口のドア補助ガードに関するものである。
【背景技術】
【０００２】
近年、一戸建住宅やマンション等の玄関のドアには、来訪者を確認したりするために、特許文献１、２等のようにドアが所定間隔だけ開閉可能にドア補助ガードを設けることが知られている。
【先行技術文献】
【特許文献】
【０００３】
【特許文献１】実用新案登録第３００５６５６号公報
【特許文献２】特開平１１−３５０８１９公報
【０００４】
しかし、ドアを施錠していなくて、ドア補助ガードだけを利用している一戸建住宅やマンション等では、不審者が道具を使って簡単にドア補助ガードを外して室内に侵入できることが明らかとなり、ドア補助ガードが防犯の役目を果せなくなっていると警告されている。
【考案の開示】
【考案が解決しようとする課題】
【０００５】
上記ドア補助ガードは、漸次簡素化されて一般住宅にも広く普及されているが、上記のように防犯の役目を果せなくなってきているため、容易にドア補助ガードを外せなくて、防犯の機能を高めて安全に生活できるようにすることが課題であった。
【課題を解決するための手段】
【０００６】
本考案は、上記のような点に鑑みたもので、上記の課題を解決するために、実用新案登録請求の範囲の請求項１のように、ドアの側端部の室内側にＵ字状のガイドアームを水平状に旋回可能に設け、ドアの戸枠部の端部に上記Ｕ字状のガイドアームのガイドアーム溝にガイドアーム係止具を挿脱可能に設けたドア補助ガードであって、上記ガイドアーム係止具にガイドアーム溝の挿脱部よりも大きい抜け止め具を取着するようにしたことを特徴とするドア補助ガードを提供するにある。
【０００７】
また、請求項１のように、ガイドアーム係止具の頭部の係止部にガイドアーム溝の挿脱部よりも大きい抜け止め具を着脱可能に取着するようにしたことを特徴とするドア補助ガードを提供するにある。
【０００８】
さらに、請求項３のように、ガイドアーム係止具の軸部にねじ孔を含む挿入孔を設けてこの挿入孔にガイドアーム溝の挿脱部よりも大きい頭部のねじを含む抜け止め具を着脱可能に取着するようにしたことを特徴とするドア補助ガードを提供するにある。
【０００９】
またさらに、請求項４のように、ガイドアーム係止具の頭部の係止部にガイドアーム溝の挿脱部よりも大きい頭部挟着手段を含む抜け止め具を被脱可能に取着するようにしたことを特徴とするドア補助ガードを提供するにある。
【００１０】
さらにまた、請求項５のように、抜け止め具をＵ字状のガイドアームに固着可能に形成したことを特徴とするドア補助ガードを提供するにある。
【考案の効果】
【００１１】
本考案は、実用新案登録請求の範囲の請求項１のように、ドアの側端部の室内側にＵ字状のガイドアームを水平状に旋回可能に設け、ドアの戸枠部の端部に上記Ｕ字状のガイドアームのガイドアーム溝にガイドアーム係止具を挿脱可能に設けたドア補助ガードであって、上記ガイドアーム係止具にガイドアーム溝の挿脱部よりも大きい抜け止め具を取着するようにしたことによって、不審者がドア補助ガードのガイドアームからガイドアーム係止具を外そうとしても、ガイドアーム係止具に取着する抜け止め具がガイドアーム溝の挿脱部から外れずに防犯機能を果すことができる。
【００１２】
また、請求項２のように、ガイドアーム係止具の頭部の係止部にガイドアーム溝の挿脱部よりも大きい抜け止め具を着脱可能に取着するようにしたことによって、ガイドアーム係止具に取着するねじ等の抜け止め具がガイドアーム溝の挿脱部から外れずに防犯機能を果すことができる。
【００１３】
また、請求項３のように、ガイドアーム係止具の軸部にねじ孔を含む挿入孔を設けてこの挿入孔にガイドアーム溝の挿脱部よりも大きい頭部のねじを含む抜け止め具を着脱可能に取着するようにしたことによって、ガイドアーム係止具に取着するねじ等の抜け止め金具がガイドアーム溝の挿脱部から外れずに防犯機能を果すことができる。
【００１４】
また、請求項４のように、ガイドアーム係止具の頭部の係止部にガイドアーム溝の挿脱部よりも大きい頭部挟着手段を含む抜け止め具を着脱可能に取着するようにしたことによって、ガイドアーム係止具に取着する頭部挟着手段を含む抜け止め具がガイドアーム溝の挿脱部から外れずに防犯機能を果すことができるとともに、ガイドアーム係止具を加工操作する必要なく、従来のドア補助ガードのガイドアーム係止具にそのまま挟着して利用することができる。
【００１５】
また、請求項５のように、抜け止め具をＵ字状のガイドアームに固着可能に形成したことによって、ガイドアーム係止具に取着するねじ等の抜け止め具をガイドアームに固着することで、防犯性よくドアを所要間隔だけ開けておくことができる。
【図面の簡単な説明】
【００１６】
【図１】本考案の一実施例のドア補助ガード部の平断面図、
【図２】同上のドア補助ガード部の正面図（ａ）とガイドアーム係止具の側断面図（ｂ）、
【図３】同上のガイドアームにガイドアーム係止具を挿入状態の説明用平断面図（ａ）とドアを少し開いた状態の説明用平断面図（ｂ）、
【図４】同上の他の実施例のガイドアームにガイドアーム係止具を挿入状態の説明用平断面図（ａ）とドアを少し開いた状態の説明用平断面図（ｂ）、
【図５】同上のさらに他の実施例の抜け止め具の説明用平面図（ａ）と説明用側断面図（ｂ）、
【図６】同上のさらにそれぞれ他の実施例の抜け止め具の説明用側面図（ａ）、説明用平面図（ｂ）、
【図７】同上のさらにそれぞれ抜け止め具の他の実施例のガイドアーム係止具に挿入状態の説明用平面図（ａ）、（ｂ）。
【考案を実施するための形態】
【００１７】
本考案のドア補助ガードは、ドアの側端部の室内側にＵ字状のガイドアームを水平状に旋回可能に設け、ドアの戸枠部の端部に上記Ｕ字状のガイドアームのガイドアーム溝にガイドアーム係止具を挿脱可能に設けたドア補助ガードであって、上記ガイドアーム係止具にガイドアーム溝の挿脱部よりも大きい抜け止め具を取着するようにしたことを特徴としている。
【００１８】
ドア補助ガード１は、図１〜図３のように一戸建住宅やマンション等の玄関のドア２の側端部３の室内部側にＵ字状のガイドアーム４を水平状に旋回自在に取着し、ドア２の戸枠部５の側端部にガイドアーム係止具６を側端面に垂直状に取着し、Ｕ字状のガイドアーム４をドア２の戸枠部５側に回転させたときに、ガイドアーム４の挿脱部７にガイドアーム係止具６の先端頭部の係止部８を挿脱して係脱できるようにしている。
【００１９】
ガイドアーム４は、図１、図２（ａ）、（ｂ）のようにドア２を戸枠部５に施錠する室内側の側端部３に固定金具９を介して端部側を水平状に旋回自在に平行な上下部にそれぞれ軸着していて、その内側に一直線状にガイドアーム溝１０を所定量段落して形成し、ドア２側の端部側をやや広溝状の挿脱部７としてガイドアーム係止具６の頭部の係止部８を挿脱可能としている。
【００２０】
ガイドアーム係止具６は、図１、図２（ａ）、（ｂ）のようにドア２の戸枠部５の側端面に固定部１１を介して垂直状に固着していて、所定長さの軸部１２を介してその先端部に偏平な円盤状等の頭部の係止部８を設け、上記したようにガイドアーム４のガイドアーム溝１０の挿脱部７に頭部の係止部８を挿脱可能とし、ガイドアーム４のガイドアーム溝１０部に係止部８をその軸部１２を介して摺動自在として、ドア２を所定間隔だけ開閉可能なドア補助ガード機能を設けるものとしている。
【００２１】
このように形成したガイドアーム係止具６には、図２（ａ）、（ｂ）のように上記したガイドアーム係止具６の頭部の係止部８に所定径のねじ孔を含む挿入孔１３を穿設し、ガイドアーム溝１０の挿脱部７の開口部の大きさよりも大きい頭部とした所定長さのねじを含む、ボルトや蝶ねじ等の抜け止め具１４を取脱可能に螺着するようにしている。
【００２２】
また、ガイドアーム係止具６の軸部１２に、図４（ａ）、（ｂ）のように所定角度の斜め状にねじ孔を含む挿入孔１３を穿設して、ガイドアーム溝１０の挿脱部７の開口の大きさよりも大きい頭部とした所定長さのねじを含む、ボルトや蝶ねじ等の抜け止め具１４を取脱可能に螺着するようにもできる。
【００２３】
また、抜け止め具１４としては、図５（ａ）、（ｂ）のように上記したガイドアーム係止具６の頭部の係止部８に、窓の防犯開閉防止具のように固定片１５と回転可能なつまみ１６のカムレバー機構等によって可動な可動片１７で挟着可能としてガイドアーム溝１０の挿脱部７の開口の大きさよりも大きくした係止部８を被覆したりする挟着手段の抜け止め具１４を取脱可能に取着するようにもできる。
【００２４】
また、係止部８を挟着手段の抜け止め具１４としては、図６（ａ）、（ｂ）のようにやっとこ状の拡縮してガイドアーム係止具６の頭部の係止部８に着脱可能に挟着するものや、仕上締付具のようにガイドアーム係止具６の頭部の係止部８に着脱可能に挟着するものを適用することができる。
【００２５】
さらに、抜け止め具１４としては、図７（ａ）、（ｂ）のようにガイドアーム係止具６の頭部の係止部８に所定径の挿入孔１８を開孔し、この挿入孔１８に鍵やリング状の金具を脱着可能に取着するようにもできる。
【００２６】
なお、上記したドア補助ガード１について、外開きドアについて説明したが、内開きドアにも適用可能であり、また実施例では金属材について説明したが、所要の強度を有する合成樹脂材、セラミックス材等についても適用できるものである。
【実施例】
【００２７】
図１〜図３は、本考案の一実施例を示すものである。ドア補助ガード１は、図１〜図３のように一戸建住宅やマンション等の玄関のドア２の側端部３の室内部側にステンレススチールのＵ字状のガイドアーム４を水平状に旋回自在に取着し、ドア２の戸枠部５の側端部に同じくステンレススチールのガイドアーム係止具６を側端面に垂直状に取着し、Ｕ字状のガイドアーム４をドア２の戸枠部５側に回転させたときに、ガイドアーム４の挿脱部７にガイドアーム係止具６の先端頭部の係止部８を挿脱して係脱できるようにしたものである。
【００２８】
ガイドアーム４は、図１、図２（ａ）、（ｂ）のようにドア２を戸枠部５に施錠する側端部３の室内側に固定金具９を介して水平状に旋回自在に軸着していて、その内側に一直線状にガイドアーム溝１０をやや段落して設けており、ドア２側の端部側をやや広溝状の挿脱部７としてガイドアーム係止具６の頭部の係止部８を挿脱可能としている。
【００２９】
ガイドアーム係止具６は、図１、図２（ａ）、（ｂ）のようにドア２の戸枠部５の側端面に固定部１１を介して垂直状に固着していて、所定長さの軸部１２を介してその先端部に偏平な円盤状の頭部の係止部８を設け、上記したようにガイドアーム４のガイドアーム溝１０の挿脱部７に頭部の係止部８を挿脱可能とし、ガイドアーム４のガイドアーム溝１０部に係止部８をその軸部１２を介して摺動自在としている。
【００３０】
このように形成したガイドアーム係止具６には、図１、図２（ａ）、（ｂ）のように頭部の係止部８に所定径のねじ孔の挿入孔１３を穿設し、ガイドアーム溝１０の挿脱部７の開口の大きさよりも大きい頭部とした所定長さのねじの抜け止め具１４を取脱可能に螺着するようにしている。
【００３１】
そのため、図３（ａ）のようにドア補助ガード１を閉じて、ガイドアーム４をドア２の戸枠部５側に水平状に旋回し、ガイドアーム溝１０にガイドアーム係止具６の係止部８を挿着し、ガイドアーム係止具６の係止部８にねじの抜け止め具１４を取着しておくと、不審者がドア補助ガイド１のガイドアーム４からガイドアーム係止具６を外そうとしても、ガイドアーム係止具６に取着する抜け止め具１４がガイドアーム溝１０の挿脱部７から外れずに防犯機能を果すことができる。
【００３２】
特に、ねじの抜け止め具１４を締め付けると、ガイドアーム４に固着できるので、特別な固定用装置を必要とすることなく、ドア２を所定量開けておけて室内に風を通すこともできる。
【００３３】
図４（ａ）、（ｂ）は、本考察の他の実施例を示すものである。本実施例では、ガイドアーム係止具６の軸部１２に所定角度で斜め状にねじ孔の挿入孔１３を穿設して、ガイドアーム溝１０の挿脱部７の開口の大きさよりも大きい頭部とした所定長さのねじの抜け止め具１４を取脱可能に螺着するようにしたものである。
【００３４】
本実施例でも、上記のように防犯効果を奏するとともに、ねじの抜け止め具１４を締め付けてガイドアーム４に固着できるので、上記と同様にドア２を所定量開放しておくこともできる。
【００３５】
図５（ａ）、（ｂ）は、本考案のさらに他の実施例を示すものである。本実施例では、抜け止め具１４としては、図５（ａ）、（ｂ）のようにガイドアーム係止具６の頭部の係止部８に、窓の防犯開閉防止具のように固定片１５と回転可能なつまみ１６の渦巻き状のカム機構によって可動とした可動片１７で頭部を被覆して挟着可能としたものである。
【００３６】
本実施例では、従来のガイドアーム係止具６を加工操作することなく、ガイドアーム係止具６の頭部の係止部８に抜け止め具１４を挟着できて防犯をはかることができる。
【００３７】
図６（ａ）、（ｂ）は、それぞれ本考案のさらに他の実施例を示すものである。本実施例では、図６（ａ）のように挟着手段の抜け止め具１４として、やっとこ状の拡縮してガイドアーム係止具６の頭部の係止部８に着脱可能に挟着するものや、図６（ｂ）のように仕上締付具のようにガイドアーム係止具６の頭部の係止部８に着脱可能に挟着するものとしたものである。
【００３８】
これらのガイドアーム係止具４の係止部８の頭部挟着手段の抜け止め具１４にあっても、抜け止め具１４をガイドアーム４に押し付けて締め付けるとガイドアーム４に固着できるので、特別な固定用装置を必要とすることなく、ドア２を所定量開けておけて室内に風を通すことができる。
【００３９】
さらに、図７（ａ）、（ｂ）は、それぞれ本考案の他の実施例を示すもので、抜け止め具１４としては、係止部８に所定径の挿入孔１８を開孔し、この挿入孔１８に鍵やリング状の金具を挿脱可能なものとしたもので、同様に防犯をはかることができる。
【００４０】
上記したドア補助ガード１について、外開きドアについて説明したが、内開きドアにも適用可能であり、また上記した本考案の趣旨にもとづいて適宜な実施態様を適用することができるものである。
【産業上の利用可能性】
【００４１】
本考案は、一戸建住宅やマンション、ホテル等の住宅、ビルディングの玄関、入出口のドア補助ガードに広く利用することができる。
【符号の説明】
【００４２】
１…ドア補助ガード      ２…ドア      ３…側端部      ４…ガイドアーム
５…戸枠部      ６…ガイドアーム係止具      ７…挿脱部      ８…係止部
１０…ガイドアーム溝    １３…挿入孔        １４…抜け止め具
【図１】
0003194007.tif 000003
【図２】
0003194007.tif 000004
【図３】
0003194007.tif 000005
【図４】
0003194007.tif 000006
【図５】
0003194007.tif 000007
【図６】
0003194007.tif 000008
【図７】
0003194007.tif 000009